(57)【要約】【課題】使用に際し人間工学的であって特に睫毛へのメーキャップの塗布を一段と向上させるのに役立つアプリケータを提供する。【解決手段】本発明のアプリケータ（２）は、取っ手部材（７）と、ヒンジを介して取っ手部材に連結されたステム（６）と、ステムの第１の端部のところに設けられたアプリケータ要素とを有し、ステム（７）及びアプリケータ要素は全体が、同一の直線状軸線に沿って延びているわけではない。【選択図】      図１
2004154551.tif 000002
【特許請求の範囲】
【請求項１】
取っ手部材（７）と、ヒンジを介して取っ手部材に連結されたステム（６）と、ステムの第１の端部のところに設けられたアプリケータ要素とを有するアプリケータにおいて、ステム（７）及びアプリケータ要素は全体が、同一の直線状軸線に沿って延びているわけではないことを特徴とするアプリケータ。
【請求項２】
アプリケータ要素は、直線ではない長手方向軸線（Ｗ）を有していることを特徴とする請求項１記載のアプリケータ。
【請求項３】
ステムの長手方向軸線は、直線ではないことを特徴とする請求項１又は２記載のアプリケータ。
【請求項４】
ステムの長手方向軸線（Ｘ）は、直線であることを特徴とする請求項１又は２記載のアプリケータ。
【請求項５】
アプリケータ要素は、その長手方向軸線に対し横断方向に延びる剛毛又は歯を支持していることを特徴とする請求項１〜４のうちいずれか一に記載のアプリケータ。
【請求項６】
アプリケータ要素は、メーキャップを角質繊維、特に、睫毛、眉毛又は髪の毛に塗布するよう構成されていることを特徴とする請求項１〜５のうちいずれか一に記載のアプリケータ。
【請求項７】
アプリケータ要素は、マスカラブラシから成ることを特徴とする請求項６記載のアプリケータ。
【請求項８】
ブラシに隣接して位置するステムの部分は、軸線（Ｘ）を有し、ブラシは、剛毛が突出した一部を備えるコア（２１）を有し、コアは、その長さの少なくとも一部にわたって湾曲しており、剛毛によって構成される包絡面は、剛毛が突出している部分の中間平面（Ｍ）に対して対称ではなく、前記中間平面は、コアに対して垂直であることを特徴とする請求項７記載のアプリケータ。
【請求項９】
ブラシは、ブラシに隣接して位置するステムの前記部分の軸線（Ｘ）と整列していない自由端部を有していることを特徴とする請求項８記載のアプリケータ。
【請求項１０】
ブラシの剛毛によって構成されるブラシの断面は、ブラシの一端から他端までの変化が単調ではないことを特徴とする請求項８又は９記載のアプリケータ。
【請求項１１】
ブラシは、直線状コアを有するブランクから作られ、ブランクは、コアに垂直な中間平面回りに対称ではなく、コアに垂直な方向から側面を観察すると、直線ではない縁部を有し、前記縁部は、ブラシの製作中、曲率をコアに与えることにより少なくとも一部が真っ直ぐにされることを特徴とする請求項８〜１０のうちいずれか一に記載のアプリケータ。
【請求項１２】
ブラシは、円形状に対称のブランクから作られていることを特徴とする請求項８〜１１のうちいずれか一に記載のアプリケータ。
【請求項１３】
ブラシは、コアの軸線（Ｗ）に対し軸対称であるブランクから作られていることを特徴とする請求項８〜１２のうちいずれか一に記載のアプリケータ。
【請求項１４】
ブラシは、互いに平行ではない少なくとも２つの軸線（Ｃ１，Ｃ２）の回りに湾曲していることを特徴とする請求項７記載のアプリケータ。
【請求項１５】
ブラシは、１以上の凹み及び（又は）切子面が形成されているブランクから作られていることを特徴とする請求項８〜１４のうちいずれか一に記載のアプリケータ。
【請求項１６】
ブラシは、湾曲していてブラシが連結されたコアを有し、ブラシは、単調ではないようにブラシの長さの少なくとも一部にわたって変化する断面を有し、コアに沿う少なくとも１つの箇所のところの前記断面は、前記箇所のところのコアの曲率平面（Ｖ）に対し垂直な平面（Ｋ）に対し対称ではないことを特徴とする請求項７記載のアプリケータ。
【請求項１７】
ブラシは、互いに異なる形状の少なくとも３つの側面を備えていることを特徴とする請求項１６記載のアプリケータ。
【請求項１８】
ブラシは、実質的に平らな少なくとも２つの側面を備えていることを特徴とする請求項７〜１７のうちいずれか一に記載のアプリケータ。
【請求項１９】
ブラシは、弾丸、ピーナッツ、ブイ（ｂｕｏｙ）、魚、鼓又は（ラグビー又はアメリカン）フットボールの全体的な形状をしているブランクから作られていることを特徴とする請求項７〜１８のうちいずれか一に記載のアプリケータ。
【請求項２０】
ブラシは、ブラシの２つの軸方向端部相互間の少なくとも１つの極端な部分を通る断面を備えたブランクから作られていることを特徴とする請求項７〜１９のうちいずれか一に記載のアプリケータ。
【請求項２１】
アプリケータ要素は、メーキャップを睫毛及び（又は）眉毛に塗布するよう構成された櫛（６０）から成ることを特徴とする請求項１〜６のうちいずれか一に記載のアプリケータ。
【請求項２２】
アプリケータ要素は、フロック加工されたエンドピースから成ることを特徴とする請求項１〜４のうちいずれか一に記載のアプリケータ。
【請求項２３】
アプリケータ要素は、塗料ばけ、特に、マニキュア液を塗布するブラシの形態をしていることを特徴とする請求項１〜４のうちいずれか一に記載のアプリケータ。
【請求項２４】
ヒンジ（１０，１１）は、取っ手部材（７）の内側に設けられていることを特徴とする請求項１〜２３のうちいずれか一に記載のアプリケータ。
【請求項２５】
ヒンジは、ヒンジのところでの取っ手部材に対するステムの相当な軸方向及び（又は）横方向変位を阻止するよう構成されていることを特徴とする請求項１〜２４のうちいずれか一に記載のアプリケータ。
【請求項２６】
取っ手部材は、受け器（３）を閉鎖するよう構成されていることを特徴とする請求項１〜２５のうちいずれか一に記載のアプリケータ。
【請求項２７】
ステムは、ステムが取っ手部材に対して向いている方向を変えることができる操作可能部分（１８）を有し、前記操作可能部分は、少なくとも一部は、ヒンジと、第１の端部から見て反対側のステムの第２の端部との間に延びていることを特徴とする請求項１〜２６のうちいずれか一に記載のアプリケータ。
【請求項２８】
取っ手部材は、操作可能部分を通過させる開口部を備えた端壁を一端に備えた本体を有していることを特徴とする請求項２７記載のアプリケータ。
【請求項２９】
開口部は、少なくとも１つのスロット（７０，７１）から成ることを特徴とする請求項２８記載のアプリケータ。
【請求項３０】
少なくとも１つのスロットは、操作可能部分の変位中、ハードポイントを構成する少なくとも１つの縁部を有していることを特徴とする請求項２９記載のアプリケータ。
【請求項３１】
操作可能部分は、少なくとも一部が取っ手部材を覆うよう構成されたカバーを有していることを特徴とする請求項２７〜３０のうちいずれか一に記載のアプリケータ。
【請求項３２】
操作可能部分は、少なくとも一部が、少なくとも１つの可撓性領域を含むシースで被覆されていることを特徴とする請求項２７〜３１のうちいずれか一に記載のアプリケータ。
【請求項３３】
ステムは、ユーザが操作可能部分（１８）を放した後、ユーザによりステムに付与された方向に継続して向くように構成されていることを特徴とする請求項２７〜３２のうちいずれか一に記載のアプリケータ。
【請求項３４】
ヒンジは、ボールソケット型継手から成ることを特徴とする請求項１〜３３のうちいずれか一に記載のアプリケータ。
【請求項３５】
ボールソケット型継手の着座部（１１）は、剛性であることを特徴とする請求項３４記載のアプリケータ。
【請求項３６】
ステムは、アプリケータが使用されていないときに装着される受け器の表面と実質的に漏れ止め状態で協働するよう構成された密封部材（９）を有していることを特徴とする請求項１〜３５のうちいずれか一に記載のアプリケータ。
【請求項３７】
化粧品を包装すると共に塗布する器具（１）であって、化粧品を入れる受け器と請求項１〜３６のうちいずれか一に記載のアプリケータとから成ることを特徴とする器具。
【請求項３８】
アプリケータは、受け器を閉鎖するよう構成されていることを特徴とする請求項３７記載の器具。
【請求項３９】
受け器は、ワイパ（５）を有していることを特徴とする請求項３７又は３８記載の器具。
【請求項４０】
受け器及びアプリケータは、アプリケータのステム（６）が、アプリケータが受け器上の定位置にあるとき、受け器に対し傾かないように構成されていることを特徴とする請求項３７〜３９のうちいずれか一に記載の器具。
【発明の詳細な説明】
【０００１】
【発明の属する技術分野】
本発明は、取っ手部材と、ヒンジを介して取っ手部材に連結されたステムと、ステムの一端部のところに設けられたアプリケータ要素とを有する形式のアプリケータに関する。
【０００２】
【従来の技術】
化粧品を塗布するのに適したかかるアプリケータは、米国特許第６，０２６，８２３号明細書に記載されている。
他のアプリケータは、米国特許第５，３２８，２８２号明細書、米国特許第２，１７３，９５９号明細書、米国特許第４，３９６，０２８号明細書、米国特許第５，４３５，３２８号明細書、仏国特許第２，７０１，１９６号明細書、米国特許第４，１６５，７５５号明細書、仏国特許第１，３９５，２１７号明細書、米国特許第４，４２８，３８８号明細書、米国特許第３，１８５，２９１号明細書及び米国特許第４，３７０，９８９号明細書に記載されている。
【０００３】
コアから半径方向に突き出た剛毛のタフト回りに金属ワイヤの２本の枝を螺旋に撚り合せることにより形成された多くのブラシが知られており、枝は、プラスチック材料で作られたステム中に固定されていて、塗布されるべきメーキャップを収容した受け器を閉鎖するキャップ内に固定されている。
剛毛の自由端部は、包絡面（ｅｎｖｅｌｏｐｅ  ｓｕｒｆａｃｅ）を構成し、この包絡面は、多種多様な形状のものであってよい。
【０００４】
かくして、仏国特許出願公開第２，６０５，５０５号明細書は、直線状のコアを備えると共に複数の側面を備えたブラシを開示しており、これら側面は各々、ブラシの実質的に全長にわたって延びる凹みを備え、各凹みは、断面が外方に凹のプロフィールを呈している。かかる凹みは、これら相互間に、隆起領域を構成している。コアの軸線は、ステムの軸線と一致している。メーキャップがかかるブラシによって塗布されているとき、ブラシは、ステムの軸線を中心に回され、睫毛は、全て形状が同一の側面に連続して接触する。
【０００５】
欧州特許出願公開第６６３，１６１号明細書は、直線状のコア及びその側面に設けられた外方に凹の凹みを有するブラシを記載している。凹みの縁部は、全体としてベースを介して一体化された２つの切頭円錐の形態をした包絡面の一部をなしている。
欧州特許出願公開第７９２，６０３号明細書は、直線状のコア及び１以上の凹みが形成されていて、ブラシの軸線に沿って進むと最大部を通過する幅の円筒形部分を有するブラシを開示している。
【０００６】
仏国特許出願公開第２，７５５，５９３号明細書は、直線状ではなく、曲率平面内で延びるコアを備えたブラシを開示している。ブラシの包絡面は、その長さの少なくとも一部にわたって、曲率平面に平行な長軸に沿って細長い形状の断面を呈している。曲率平面の各側に位置したブラシの包絡面の２つの半部は、その回りに対称である。
【０００７】
仏国特許出願公開第２，７４９，４８９号明細書及び第２，７４９，４９０号明細書は、コアが湾曲している他のブラシを開示している。これらブラシの剛毛によって構成される断面は、ブラシの一端から他端まで単調に変化している。換言すると、ブラシの長さに沿う２つの互いに異なる位置で取ったブラシの２つの断面を比較すると、これら断面のうち一方は、他方の断面を拡大したものであり、即ち、これら断面は、幾何学的に相似の関係にあり、一方の断面から他方の断面までの寸法の比は、コアの軸線回りの方向とは無関係に同一であり、即ち、断面相互間に相対的な捩れはない。これらブラシは各々、コアに垂直な中間平面回りに対称の包絡面を有するブランク（未仕上げブラシ）から作られている。
【０００８】
米国特許第５，９３７，８７０号明細書は、剛毛によって構成された断面がブラシの長さの少なくとも一部にわたって細長い形状をしているブラシを記載している。このブラシは、コアの曲率平面回りに対称関係にある２つの半部を備えた包絡面を有している。
米国特許第５，８７６，１３８号明細書は、直線状のコアを備えた全体として魚の形をしたブラシを記載している。
独国特許出願公開第４，２０５，９３５号明細書は、一定であって円形の断面をした湾曲コア型ブラシを記載している。
仏国特許出願公開第２，７９８，２７６号明細書は、自由端部がステムと整列しておらず、かくしてメーキャップをピックアップし易い湾曲コア型ブラシを有する器具を記載している。ブラシの断面は、ステムに連結されたブラシの端部からその自由端部に向かって単調に変化している。
【０００９】
【発明が解決しようとする課題】
本発明は、使用に際し人間工学的であって、特に睫毛へのメーキャップの塗布を一段と向上させるのに役立つ特に、唇、瞼、睫毛、眉毛又は髪の毛用のアプリケータを提供することを目的としている。
メーキャップを睫毛に塗布する場合、特に、ブラシによって担持されるメーキャップの量の観点、伸び率の観点、曲率の観点、睫毛相互間への剛毛の侵入度の観点、及び睫毛を分ける仕方の観点においてブラシを有するアプリケータを一段と改良する必要がある。
【００１０】
【課題を解決するための手段】
本発明は、その特徴のうちの１つとして、取っ手部材と、ヒンジを介して取っ手部材に連結されたステムと、ステムの第１の端部のところに設けられたアプリケータ要素とを有するアプリケータにおいて、ステム及びアプリケータ要素は全体が、同一の直線状軸線に沿って延びているわけではないことを特徴とするアプリケータを提供する。
【００１１】
ステムに取っ手部材に対し０ではない角度を与えることにより、かかるアプリケータは、メーキャップを一層人間工学的に塗布するようにすることができる。加うるに、アプリケータ要素が取っ手部材の軸線に対し０ではない角度をなす方向に延びる少なくとも１つの部分、例えば、遠位部分を有しているので、この角度は、ステムを取っ手部材に対し傾けることにより増大させることができ、この場合、受け器がワイパを有していても、アプリケータを受け器内へ戻すのがそれほど困難ではない。アプリケータ要素は、非直線状であるのがよく、ステムとアプリケータは、全体が同一直線状軸線に沿って延びる必要はない。この場合、例えば、アプリケータ要素及びステムは、或る平面内で延びるのがよく、ステムは、この平面内でのみ回動することができる。アプリケータ要素の長手方向軸線は又、ステムの回動平面の外部に延びてもよい。
ステムは、アプリケータが使用されていないときに装着される受け器の表面に実質的に漏れ止め状態で圧接するよう構成された密封部材を有する。一例を挙げると、密封部材は、ディスク及び（又は）切頭円錐形部分から成るのがよい。
【００１２】
ブラシを有するアプリケータ要素
本発明の特徴では、アプリケータ要素は、メーキャップを角質繊維に塗布するよう構成されたものであるのがよく、さらに、アプリケータ要素は、ブラシの長手方向軸線に対し横断方向に延びる剛毛を備えたブラシを有するのがよい。
かかるブラシは、剛毛が延びる起点となる一部を備えたコアを有し、この部分を「剛毛支持」部分と呼ぶことができる。
【００１３】
一実施形態では、コアは、その長さの少なくとも一部にわたって湾曲したものであるのがよい。
「湾曲したコア」という用語は、「非直線状コア」と理解されるべきであり、換言すると、本発明の意味では、不連続線が「湾曲線」を構成することができる。
ブラシの剛毛によって構成された包絡面は、コアに垂直な中間平面に対し非対称であるのがよい。
【００１４】
ブラシに隣接して位置するステムの部分の軸線とコアの軸線とのなす角度は、コアに沿うあらゆる箇所で９０°未満であるのがよい。
ブラシは、ブラシに隣接して位置するステムの部分の軸線と整列していない自由端部を備えるのがよい。
ブラシの剛毛によって構成される断面は、ブラシの一端から他端まで非単調に変化しているものであるのがよい。
この断面が「非単調」に変化すると称する場合、ブラシの断面はブラシの全長にわたって一定ではなく、ブラシの一端から他端まで厳密に大きくなり、又は小さくなるようには変化しないことは理解されるべきである。剛毛によって構成される断面が非単調に変化するということは、例えば、ブラシを作るブランクの形状に起因している場合があり、このブランクは場合によっては、ブラシの各端部から０ではない距離を置いたところに最大又は最小直径を有し、又は場合によっては、１以上の凹み等を有する。
【００１５】
特定の実施形態では、ブラシは、直線状コアを備えたブランクから作られ、剛毛支持部分は、コアに垂直な中間平面に対し対称ではない包絡面を有し、ブランクは、ブランクは、コアに垂直な中間平面回りに対称ではなく、コアに垂直な方向から側面を観察すると、直線ではない縁部を有し、前記縁部は、ブラシの製作中、曲率をコアに与えることにより少なくとも一部が真っ直ぐにされる。
かかるブラシは、メーキャップの非常に満足のゆく品質が得られるようにすることができる。というのは、コアは湾曲しており、そして、ステムの軸線に垂直な方向で側から観察したときに、ブラシはステムの軸線回りに回転するにつれて変化する輪郭を呈するからである。
【００１６】
特に、かかるブラシにより、睫毛を効果的に取り扱うことができると共に一様ではない拭い取り作用が得られ、このために、メーキャップが非一様に装填されるブラシのゾーンが得られる。
かくして、ユーザは、ブラシに多量のメーキャップを担持させることができ、それにより、ブラシを受け器内に漬け戻す必要がなくメーキャップを睫毛に局部的に追加することができ（メーキャップを施している際にこのことが必要であると判明すれば）、更に、ブラシが、有利には睫毛、特に、瞼の端の短い睫毛を分けるのに用いることができるメーキャップの担持量の少ない剛毛を有するようにすることができる。
【００１７】
上述したようなブラシから開始して、そのコアを完全に真っ直ぐにすることにより、即ち、コアを完全に直線状に作ることによりブラシを製作するのに用いられるブランクに戻ることが観察目的で可能である。
コアの曲率は、一定である必要はない。
コアの曲率がブラシの長さに沿って一定ではないことが意味することは、その曲率半径（無限の場合がある）がブラシに沿う少なくとも２つの互いに異なる箇所で同一ではないということである。かくして、ブラシを、例えばステムに隣接したところよりもその自由端部に隣接したところの方が一層湾曲しているのがよく、或いは、ブラシは、特にブラシのコアがステムと嵌合する直線状部分を有すると共に剛毛が一定であり又はそうではない曲率を備えた曲線状剛毛支持部分によって支持されている場合に適用される場合、直線状又は実質的に直線状の部分及び湾曲した部分を有してもよい。
【００１８】
特定の実施形態では、ブラシの断面は、その２つの軸方向端部相互間の少なくとも１つの極端な部分を通るのがよい。この極端な部分は、最大部又は最小部であり、特に、ブラシの断面は、特にブラシを構成するブランクが全体として魚の形をしているときに適用される場合には、その２つの軸方向端部相互間で最大部と最小部の両方を通過するのがよい。
特定の実施形態では、ブランクは、円形状に対称である包絡面を備えるのがよい。
ブラシを作るのに用いられるブランクは又、円形状に対称ではなく、例えばコアの軸線に対し単に軸対称である包絡面を備えてもよい。
【００１９】
ブランクの包絡面の断面は、ブラシの長さの少なくとも一部にわたり、例えば、その長さの１／３以上にわたり単調に変化する形状を備えるものであってよい。換言すると、ブラシの長さに沿う２つの互いに異なる位置で取ったブラシの２つの断面を比較すると、これら断面のうち一方は、他方の断面を拡大したものであり、即ち、これら断面は、幾何学的に相似の関係にあり、一方の断面から他方の断面までの寸法の比は、コアの軸線回りの方向とは無関係に同一であり、即ち、断面相互間に相対的な捩れはない。
【００２０】
ブラシを作るためには、コア及びブランクをブランクの中間平面の外部に位置する少なくとも１つの軸線回りに湾曲させるのがよい。コアに与えられた曲率により真っ直ぐにされるブランクの一縁部を、ブラシの遠位部分又は近位部分、即ち、ブラシの自由端部から始まるブラシの長さの最初の半分又は残りの半分に位置させるのがよい。ブランクの上述の非直線状縁部を、実質的にブラシの自由端部から始まるブラシの最初の１／３又は最後の１／３のところに位置させてもよい。この非直線状縁部は、外方に凹であるのがよく、変形例として、外方に凸であってもよい。一例を挙げると、非直線状縁部が外方に凹であれば、これを実質的にブラシの最後の３分の１のところに位置させるのがよい。これは特に、ブランクが全体として魚の形をしている場合に当てはまる。非直線状縁部が外方に凸の場合、これを例えばブラシの最初の３分の１のところに位置させるのがよい。これは、特にブランクが全体として弾丸の形又はブイの形をしている場合に当てはまる。
【００２１】
特定の実施形態では、ブランクの非直線状縁部は、少なくとも一部が、弾丸の形をしたブラシの遠位端部によって構成され、ブラシの本体は、上記遠位端部からコアが連結されているステムに向かうブラシの長さの少なくとも一部にわたって減少する断面を備えた切頭円錐の形をしている。
別の特定の実施形態では、ブランクの非直線状縁部は、ブラシの自由端部に向かって細まる切頭円錐の形態をしたブラシの遠位端部と、同様に、コアが連結されているステムに向かって細まる切頭円錐の形態をしたブラシの本体との接合部を包囲するゾーンによって構成される。
【００２２】
別の特定の実施形態では、ブランクは、全体として魚の形をしており、ブランクの非直線状縁部は、魚体に相当する部分と魚の尾を構成する近位端部との接合部の付近のゾーンで構成されている。
別の特定の実施形態では、ブラシは、鼓状（砂時計状）の形をしたブランクから作られ、このブランクの非直線状縁部は、２つの切頭円錐の円錐相互間の接合部のところの凹角部によって構成されている。
別の特定の実施形態では、ブランクは、少なくとも１つの切子面（ファセット）又は凹みを含む（ラグビー又はアメリカン）フットボールの形態をしており、非直線状縁部は、凹みにより構成され、又は、凹み又は切子面の一端部の付近に位置している。
ブランクの非直線状縁部は有利には、コアに与えられた曲率によって変形可能であり、ブラシをステムの軸線に垂直な方向で見たときに少なくとも一部が実質的にブラシの本体の隣接縁部の軸線上に位置するようになっている。
【００２３】
コアは、左回り又は右回りに撚りを掛けた撚りコア、特に、仏国特許出願公開第２，７０１，１９８号明細書に記載されているように左回りの撚りを掛けた撚りコアであるのがよい。左回りに撚りが掛けられたブラシでは、コアの枝部は、左に回すことにより撚り合わされてターンを形成し、これらターンは、ステム内に固定された端部からコアの軸線に沿って見た場合に、ステムからブラシの自由端部に向かって時計回りになっている。
コアは有利には、ブラシが左回りの撚りが掛けられている場合に湾曲して、剛毛によって形成された螺旋シート（ｈｅｌｉｃａｌ  ｓｈｅｅｔ）とステムの軸線との間の傾斜角をステムから遠ざかるにつれて減少させるようになっており、かくして、睫毛と上記シートのなす角度を増大させることにより、瞼の両端のところの睫毛相互間の分離を向上させることができる。
【００２４】
また、コアに右回りの撚りが掛けられている場合、剛毛が所望の方向に向くようにコアに与えられた曲率に働きかけることが可能である。
金属ワイヤの２本の枝部を撚り合わせることによってコードを作る必要はなく、例えば、剛毛は、他の支持体に埋め込まれ又は他の支持体と一体成形されたものであってもよい。
剛毛は、天然又は合成のものであってよく、これらの端部に例えば丸い又は二股形状の先端部を形成する目的で任意公知の形式の処理を施すのがよい。
ブラシは、互いに異なる長さの剛毛を有し、特に、長い剛毛の自由端部の包絡面により構成された容積部内に封じ込められた短い剛毛を有するものであってよい。
ブラシは、剛毛の混合物を有していてもよい。
使用される剛毛は、任意処理のもの、特に、中空剛毛、毛管作用を発揮する溝を備えた剛毛、平らな又は撚り合わされた剛毛、又は好ましい変形ゾーンを有する剛毛であってよい。
【００２５】
また、２以上の軸線回りに湾曲したコアを有する任意形状のブラシを用いることが可能である。特に、コアは、互いに平行ではない２本の軸線回りに湾曲したものであってもよい。かかる状況の下では、コアの軸線は、単一の曲率平面内に完全には含まれない。コアの湾曲の中心となる軸線は、任意的に互いに垂直な方向に延びるものであるのがよく、これら軸線は互いに交差するのがよいが、そのようにするかどうかは任意である。
アプリケータのステムは、次に記載する方法を用いて作られたブラシを備えるのがよく、この方法は、直線状コアを有するブランク、特に、ブラシの第１の端部から第２の端部までの変化が非単調な断面を備えたブランクを作る工程を有し、ブランクは、コアに垂直な中間平面回りに対称ではない包絡面を有し、コアをブラシの第１の端部が第２の端部に隣接したコアの直線状部分の軸線と整列しないように湾曲させる段階を有し、コアの直線状部分の軸線とコアの湾曲部分に沿う任意の箇所の軸線とのなす角が、９０°未満のままであるようにすることを特徴とする。
【００２６】
特定の具体的構成例では、この方法は、一定ではない断面の直線状コアを備えたブランクを製造する工程を有し、この直線状コアは、ブランクの長さの少なくとも一部にわたって、ブランクをコアに垂直な方向で側面で見たときに直線ではない縁部を有し、この方法は、ブラシを上述したのと同一の方向で観察したときにブランクの非直線状縁部の曲率を減少させるようコアを湾曲させる工程を更に有している。
ブランクは、円形状に対称であるのがよいが、このようにするかどうかは任意であり、そしてブランクは例えば、弾丸、ブイ、魚、鼓、又は（ラグビー又はアメリカン）フットボールの形状をしているのがよい。
少なくとも１つの切子面又は凹みをコアの湾曲に先立ってブランクに形成するのがよい。少なくとも３つのかかる切子面又は凹みを形成してブラシにその長さの少なくとも一部にわたって形状が全体として三角形の断面を与えるのがよい。
【００２７】
一例として、ブランクが全体として弾丸又はブイの形をしている場合、ブランクの膨らみ部分のコアに最大の曲率を与えてブランクの遠位端部を持ち上げ、それにより、ブランクの膨らみ部分の非直線状頂縁部を真っ直ぐにすると共にその直径方向反対側の底縁部の曲率を目立たせる効果をもたらすのがよい。
一例を挙げると、ブランクが全体として魚又は鼓の形をしている場合、ブランクの幅の最も狭い部分の付近のコアに最大の曲率を与えてブランクの近位端部を持ち上げてもよく、その作用効果は、ブランクの上に凹の頂縁部を一段と深くすると共にその直径方向反対側の上に凹の底縁部を平べったくすることにある。
【００２８】
一般に、コアに与えられる曲率は、ブラシの凹状又は凸状面をなくして例えばこれを実質的に直線状にし、特に、実質的にステムの軸線に平行にする効果を有する場合がある。
コアに与えられた曲率が凸状又は凹状の面を実質的に直線状にするためにかかる面を真っ直ぐにするという効果を有している場合、湾曲を上記面の中間平面内に含まれる軸線回りに行うのがよい。
ブランクは、左回りの撚りが掛けられているものであるのがよい。
アプリケータのステムは、任意形状のものであって、自由端部を備える剛毛支持部分を有するブラシを備えるのがよく、この自由端部は、ブラシに隣接して位置するステムの端部の長手方向軸線と整列しておらず、しかも、取っ手部材に対するステムの傾斜角が０である場合には取っ手部材の長手方向軸線と整列しない。
剛毛支持部分のコアを、コアに沿う任意の箇所におけるコアの接線がブラシに隣接したステムの端部の長手方向軸線とは垂直ではないように湾曲させるのがよい。
【００２９】
本発明の別の特徴では、剛毛支持部分の剛毛は、ブラシの長さの少なくとも一部にわたって変化する断面を有する包絡面を構成する端部を有するのがよく、包絡面は、コアに垂直な包絡面の中間平面に対し非対称である。必要ならば、コアを上述したように互いに平行ではない２つの軸線回りに湾曲させるのがよい。
かかるブラシにより、ブラシの剛毛を非一様な仕方で設けるようにすることができる。というのは、ブラシの少なくとも幾つかの部分が、ステムの軸線から、かくしてワイパの軸線からずれているからである。
コアを湾曲させる基準となる軸線は、互いに直角の方向に延びるのがよく、更に、これら軸線は互いに交差するのがよいが、このようにするかどうかは任意である。これら軸線は、ブラシの或る部分の対称平面内に位置するのがよい。
【００３０】
ブラシを、包絡面がブランクのコアの長さの少なくとも一部にわたって円形状に対称であるブランクのコアを、上記部分における上記包絡面の形状を変化させるような仕方で湾曲させることにより作ることができる。
ブラシも又、１以上の凹み及び（又は）切子面が切断形成されたブランクから作ることができ、切子面は、実質的に平らであり、ブランクの直線状コアに平行であり、又はこれに対し角度をなしているのがよい。有利には可変傾斜角のステムに用いることができる別のタイプのブラシは、剛毛が連結された湾曲コアを有するのがよく、ブラシは、ブラシの長さの少なくとも一部にわたって非一様に変化している断面を備え、コアの少なくとも一箇所における断面は、その点におけるコアの曲率平面に垂直な平面に対し非対称である。
ブラシは、互いに異なる形状の少なくとも３つの側面を備えるのがよい。
ブラシは、少なくとも２つの平らな側面を備えてもよい。
アプリケータ要素がブラシである場合、これを弾丸、ピーナッツ、ブイ、魚、鼓又は（ラグビー又はアメリカン）フットボールの全体形状をしたブランクから作ることができる。
【００３１】
一例を挙げると、ステムの一端に連結されたブラシを用いることが可能であり、ステムの上記端部は、長手方向軸線を有し、ブラシの自由端部は、ステムの長手方向軸線と整列していない。コアの少なくとも一部は、コアの任意の箇所におけるコアの接線がステムの端部の長手方向軸線に垂直ではないような仕方で湾曲している。ブラシは、剛毛を支持し、剛毛の端部は、コアの長さの少なくとも一部に沿って変化する断面を有し、上記包絡面は、中間平面回りに非対称であり、中間平面は、コアに対し直角に延びている。
ブラシは、コアを有するのがよく、このコアは、コアの軸線が曲率平面内で湾曲部を構成するようにその長さの少なくとも一部にわたって湾曲しており、ブラシは、幾何学的に対称ではないような仕方でコアの長さの少なくとも一部にわたって変化するブラシの断面を構成する複数の剛毛を更に有するのがよい。コアに沿う少なくとも一箇所におけるブラシの断面は、曲率平面に垂直な平面に対し実質的に非対称であるのがよく、コアは、その長さに沿う少なくとも一箇所におけるブラシの断面の中心を通るのがよい。
【００３２】
変形例として、ブラシは、コアを有し、このコアは、コアの軸線が曲率平面内に湾曲部を構成するような仕方でその長さの少なくとも一部にわたって湾曲し、湾曲部は、凸状側部及び凹状側部を有する。剛毛は、コアの長さの少なくとも一部にわたって非一様に変化するブラシの断面を構成し、コアに沿う少なくとも一箇所におけるブラシの断面は、曲率平面に垂直な平面回りに実質的に非対称である。曲率平面内では、湾曲部の凸状側部から包絡面までの距離は、コアの長さの少なくとも一部に沿って変化しているのがよい。
【００３３】
ブラシは、コアを有し、このコアは、コアの軸線が曲率平面内に湾曲部を構成するような仕方でその長さの少なくとも一部にわたって湾曲しており、複数の剛毛が、コアから延びていて、非一様な仕方でコアの長さの少なくとも一部にわたって変化するブラシの断面を構成するようになっている。コアに沿う少なくとも一箇所におけるブラシの断面は、曲率平面に垂直な平面に対し実質的に非対称であるのがよく、コアが真っ直ぐな場合、剛毛の端部は、凹みの端部相互間に位置した最大幅を有する少なくとも１つの凹みを構成し、上記端部は、ブラシの長さに沿って互いに間隔を置いて位置している。
【００３４】
ブラシは又、コアを有し、このコアは、コアの軸線が曲率平面内に湾曲部を構成するような仕方でその長さの少なくとも一部にわたって湾曲しており、ブラシは、コアから延びる複数の剛毛を更に有し、剛毛は、非一様な仕方でコアの長さの少なくとも一部にわたって変化するブラシの断面を構成している。コアに沿う少なくとも一箇所におけるブラシの断面は、曲率平面に垂直な平面回りに実質的に非対称であるのがよく、コアが真っ直ぐな場合、剛毛の端部は、少なくとも１つの凹みを構成し、この凹みは、凹みと交差する少なくとも１つの平面内で凹状である。
【００３５】
ブラシは、コアを更に有するのがよく、このコアは、コアの軸線が曲率平面内に湾曲部を構成するような仕方でその長さの少なくとも一部に沿って湾曲しており、湾曲部は、凸状側部及び凹状側部を有している。複数の剛毛が、コアから延びていて、剛毛は、ブラシの包絡面を構成する端部を有している。剛毛は又、一様ではない仕方でコアの長さの少なくとも一部にわたって変化するブラシの断面を構成している。コアに沿う少なくとも一箇所におけるブラシの断面は、曲率平面に垂直な平面回りに実質的に非対称であり、湾曲部の凸状側部の包絡面は、ブラシの長さの少なくとも一部に沿って実質的に平らな表面を構成するのがよく、この実質的に平らな表面は、曲率平面と交差している。
【００３６】
ブラシは、コアを更に有するのがよく、このコアは、コアの軸線が曲率平面内に湾曲部を構成するような仕方でその長さの少なくとも一部に沿って湾曲しており、湾曲部は、凸状側部及び凹状側部を有する。複数の剛毛が、コアに連結されていて、剛毛は、ブラシの包絡面を構成する端部を有している。剛毛は、一様ではない仕方でコアの長さの少なくとも一部にわたって変化するブラシの断面を構成している。コアに沿う少なくとも一箇所におけるブラシの断面は、曲率平面に垂直な平面回りに実質的に非対称である。曲率平面内では、湾曲部の凸状側部の包絡面は、ブラシの長さの少なくとも一部に沿って実質的に直線状である一部を構成するのがよい。
【００３７】
ブラシは、コアを更に有するのがよく、このコアは、コアの軸線が曲率平面内に湾曲部を構成するような仕方でその長さの少なくとも一部に沿って湾曲している。複数の剛毛が、コアに連結されている。剛毛は、一様ではない仕方でコアの長さの少なくとも一部にわたって変化するブラシの断面を構成している。コアに沿う少なくとも一箇所におけるブラシの断面は、曲率平面に垂直な平面回りに実質的に非対称であるのがよい。ステムは、コアに連結された一端部を有し、この端部は、軸線を定め、ブラシの自由端部は、ステムの端部の軸線と整列状態にはないのがよい。
【００３８】
ブラシは、コアを更に有するのがよく、このコアは、コアの軸線が曲率平面内に湾曲部を構成するような仕方でその長さの少なくとも一部にわたって湾曲している。複数の剛毛が、コアから延びていて、剛毛は、一様ではない仕方でコアの長さの少なくとも一部にわたって変化するブラシの断面を構成している。コアに沿う少なくとも一箇所におけるブラシの断面は、曲率平面に垂直な平面回りに実質的に非対称であるのがよく、ブラシの長さの少なくとも一部にわたって、ブラシの断面は、漸変幅のものであり、コアを通る幅は、曲率平面に垂直である。
【００３９】
操作可能部分を備えたアプリケータ
本発明の実施形態では、アプリケータは、ステムが取っ手部材に対して向いた方向を変える操作可能部分を有するのがよく、この操作可能部分は少なくとも一部は、ヒンジと、ステムが第１の端部から見て反対側のステムの第２の端部との間に延びている。
かかる操作可能部分により、使用中、アプリケータ要素が取っ手部材に対して向いている向きを変えることができる。
【００４０】
操作可能部分、ヒンジ及び取っ手部材は、アプリケータが受け器上の定位置にない場合に、ユーザが指で操作可能部分を操作することにより片手でステムの向いている方向を変えることができるような仕方で構成されたものであるのがよい。
取っ手部材は、本体の一端部を貫通して延びる操作可能部分を備えた本体を有するのがよい。この端部のところに、本体は端壁を有するのがよく、この端壁は、操作可能部分を通過させる開口部を備える。この端部は全体として形状が外方に凸であるのがよい。
【００４１】
上述の開口部は、少なくとも１つのスロットから成るのがよく、このスロットは、操作可能部分の運動を案内するのに役立つのがよい。必要に応じて、スロットを取っ手部材の側面の少なくとも一部にわたって延長させるのがよい。一例を挙げると、開口部は、少なくとも２つのスロットから成るのがよく、これらスロットの長手方向軸線は、例えば互いに実質的に垂直である。スロットは、例えば少なくとも１つの突起によって操作可能部分を変位させる少なくとも１つのハードポイントを構成する縁部を有するのがよい。必要に応じて、ハードポイントにより、操作可能部分を所定の位置に保持するのを容易に行うことができる。
【００４２】
アプリケータ、例えばその端壁は、少なくとも１つの基準マーク、例えば、目盛りを有するのがよく、これにより、ユーザは、ステムが取っ手に対して向いている向きを確認するのが容易になる。
操作可能部分は、取っ手部材の少なくとも一部を覆うよう構成されたカバーを有するのがよい。一例を挙げると、カバーは、取っ手部材の方に全体として凹状である面を備えるのがよい。
操作可能部分の少なくとも一部をシース、例えば、少なくとも１つの可撓性領域を備えたシースで覆うのがよい。可撓性領域は、特にベローから成るのがよい。
操作可能部分の全体をシースで覆うのがよい。
【００４３】
シースは、全体として可撓性であるのがよく、例えば、エラストマー、例えば、ブチルニトリル、エチレンプロピレンジエンモノマー（ＥＰＤＭ）、シリコーン又はラテックスで作られたものであるが、これらには限定されない。
シースを取っ手部材に装着するのがよく、変形例として、シースを例えば取っ手部材上に射出成形することにより取っ手部材と一体成形してもよい。
シースの外形は、軸対称であるのがよく、例えば、その長さの少なくとも一部にわたって円形の断面を備える。
シースは、１以上の方向にその変形を容易にする外形を有するのがよい。かくして、例えば、シースは、その長さの少なくとも一部にわたって長円形の断面を備えるのがよい。
シースは、或る程度の厚さの壁を有するのがよい。一例を挙げると、シースは、厚さが少なくとも或る場所において取っ手部材の壁の厚さと同一オーダのものである壁を有するのがよい。
また、シースは、特にこれが気泡材料で作られている場合、比較的厚肉の壁を有してもよい。
【００４４】
一例を挙げると、シースは、ステムの第２の端部が嵌合する凹部又は少なくとも１つのスロットを備えたフォームのブロックから成るのがよい。かかるブロックを例えばヒートシールにより又は接着剤で取っ手部材の本体の一端に固定するのがよい。
シースは、アプリケータが使用されていないときに取り付けられる受け器のクロージャを密封するのに寄与する。
【００４５】
ヒンジ
ヒンジを取っ手部材の内側に設けるのがよい。
ヒンジを取っ手部材の内側に配置することにより、アプリケータを一層コンパクトにすることができると共に手で持ち易くなる。
ヒンジは、取っ手部材に対するステムの相当な横方向及び（又は）軸方向変位を阻止するよう構成されたものであるのがよい。
【００４６】
ヒンジのところにおける軸方向変位、即ち、取っ手部材の長手方向軸線の方向における変位が生じないと共に（或いは）横方向変位、即ち、取っ手部材の長手方向軸線に垂直な変位が生じなければ（かかる変位は、取っ手部材に対するステムの変位である）、ユーザは、メーキャップが塗布される場所にアプリケータ要素を正確に位置決めすることができる。
ヒンジは、取っ手部材に対するステムの運動を制動するブレーキを含むのがよい。ブレーキは、取っ手部材に対するステムの位置とは無関係に制動作用を発揮するのがよい。変形例として、ブレーキは、取っ手部材に対するステムの少なくとも１つの所定の位置でのみ制動作用を及ぼしてもよい。
【００４７】
ヒンジは、種々の方法で作られたものであってよく、例えば、ヒンジにより、ステムは、１つの軸線、２つの軸線又は無限の軸線回りに動くことができる。
一例を挙げると、ヒンジは、ボールソケット型継手から成るのがよく、このボールソケット型継手は、剛性又は可撓性の着座部を有するのがよい。剛性の着座部により、必要に応じて、例えば受け器とステムの密封部材とを良好に接触させることにより受け器のクロージャの良好な密封を得ることができる。
【００４８】
変形例として、ヒンジは、ピン、例えば金属ピンを有するのがよく、ステムは、このピンを中心として回動するよう設けられる。変形例として、ステムは、ピボットとして働く円筒形部分を有してもよい。
ヒンジは、ステムを通過させる少なくとも１つの可撓性壁、例えば、ディスクを有するのがよく、この壁は、ステムと取っ手部材との間に延びている。一実施形態として、ヒンジは、ステムを通過させる弾性変形可能な材料、例えば、フォームの少なくとも１つのブロックを有する。
アプリケータは、ユーザが操作可能部分を放した後でもステムがユーザによりこれに与えられた方向を継続して向くように構成されたものであるのがよい。
【００４９】
変形例として、アプリケータは、例えばステムの軸線を取っ手部材の軸線に整列させるため、ユーザがステムを放したときステムを所定の方向に向くよう戻すのに適当な弾性戻し部材を有してもよい。戻し部材は、例えばヒンジを構成する要素によって構成されたものであるのがよい。戻し部材を、上述したようなシースで構成してもよい。
【００５０】
他のアプリケータ要素
アプリケータ要素は、メーキャップを角質繊維、例えば、睫毛又は眉毛に塗布するよう構成された櫛から成るのがよい。
アプリケータ要素は、プラスチック材料の射出成形により作られたブラシから成るのがよく、ブラシは、ギザギザ（セレーション）を含む。
変形実施形態では、アプリケータ要素は、塗料ばけ、特に、マニキュア液を塗布するブラシの形態をしていてもよい。かかる状況下においては、ステムは、例えば曲り部を有するのがよい。
また、アプリケータ要素は、例えばメーキャップを唇又は瞼に塗布するよう構成されたフォーム、スポンジ、フェルト又はフロック加工エンドピースから成っていてもよい。
アプリケータ要素は、毛管作用によりメーキャップを保持するのに適したものであるのがよい。
アプリケータ要素は、直線状又は湾曲した軸線を有するのがよい。
アプリケータ要素は、フロック加工されたものであるのがよい。
【００５１】
包装兼塗布器具
本発明は又、化粧品の入った受け器及び上述したようなアプリケータを有する化粧品の包装と塗布の機能を兼ね備えた器具を提供する。
アプリケータは、受け器を閉鎖するよう構成されたものであるのがよい。
受け器は、ワイパを有するのがよい。ワイパにより、ステムをアプリケータが受け器に戻されたとき傾斜角が０の位置に戻すことができる。
受け器及びアプリケータは、アプリケータが受け器上の定位置にあるとき、アプリケータのステムが受け器に対して回動するのが阻止されるように構成されたものであるのがよい。
受け器の密封クロージャは、ヒンジに対し且つヒンジの上方、ヒンジの周り又はヒンジの下でステムの軸線に沿って位置した密封手段によって得られるのがよい。
【００５２】
塗布方法
本発明は又、化粧品を本体の一部又は顔面、特に、睫毛又は眉毛に塗布する方法であって、任意種類のアプリケータ要素に化粧品を装填する段階を有し、アプリケータ要素は、軸線を備えた取っ手部材にヒンジ止めされたステムの一端部のところに設けられており、ステムが取っ手部材に対して向く方向を変える段階を有する方法を提供する。
【００５３】
アプリケータ要素がメーキャップを角質繊維、例えば、睫毛及び（又は）眉毛に塗布するよう構成されている場合、上記方法は、例えばステムが実質的に水平であって、取っ手部材に対するステムの第１の傾斜角をなした状態でメーキャップを角質繊維に塗布する段階を有し、この第１の傾斜角は、例えば０であり、ステムは、それ自体の軸線回りに回転でき、アプリケータ要素は、上述したようなブラシのうちの１つによって構成されており、上記方法は、ステムが実質的に垂直であって、取っ手部材に対するステムの第２の傾斜角をなした状態でメーキャップを角質繊維に塗布する段階を更に有し、第２の傾斜角は、第１の傾斜角とは異なっており、例えば、ステムは、取っ手部材に対し最大傾斜角をなしている。アプリケータ要素が上述したようなブラシのうちの１つによって構成されている場合、ステムをそれ自体の軸線回りに回転させないでメーキャップを塗布することができる。
本発明の内容は、添付の図面を参照して非限定的な実施形態についての以下の詳細な説明を読むと一層よく理解できよう。
【００５４】
【発明の実施の形態】
図１に示す器具１は、メーキャップＰ、例えばマスカラを睫毛又は眉毛に塗布するためのものであり、この器具１は、アプリケータ２及びメーキャップＰを収容した受け器３を有し、アプリケータ２を使用していない間、実質的に漏れ止め状態で受け器に固定することができる。従来方法では、受け器３は、ワイパ５、例えば、エラストマーで作られていて、任意的に、全体として円錐形の可撓性リップを含むワイパを備えたねじ山付きネック４を有している。
図示の例では、アプリケータには、軸線Ｘに沿って直線状であるステム６及び軸線Ｙの取っ手部材７を有し、この取っ手部材は又、受け器３のクロージャキャップを構成し、この目的のため、ネック４に螺着するよう形作られた雌ねじ８を備えている。
【００５５】
ステム６は、図１で理解できるように、アプリケータ２が受け器３上の定位置にあるとき、受け器３の開口部と協働するよう形作られた密封部材９を有している。一例を挙げると、この密封部材は、ワイパ５の頂縁部に当接するよう形作られたカラー９ｂを頂端部に備えた切頭円錐形部分９ａを有するのがよい。ワイパは、受け器の内部に、拭い取りオリフィス５ａを備え、この拭い取りオリフィス５ａは、拭い取られるべきステムの部分の断面が円形である場合、円形であってその直径にマッチしているのがよい。一例を挙げると、変形例では、ワイパ部材は、切頭円錐形部分又は、ディスクのみから成っていてもよく、このワイパ部材は、例えば、密封スカートから成っていてもよい。特に、ワイパ部材がディスクから成る場合、このワイパ部材は、エラストマーコードを有するのがよい。
【００５６】
取っ手部材７は、例えば硬質プラスチック材料で作られた全体として管状の本体１４を有し、図示の例では、軸線Ｙの回りに円形状に対称の外形を備えており、本体１４は、本体を受け器３のネック４に係合させることができるようその軸方向端部のうちの一方に開口部１５を備えている。
ステム６は、取っ手部材７にヒンジ連結されている。
一例を挙げると、アプリケータ２は、ボールソケット型継手の形態をしたヒンジを有するのがよく、これは、ステム６に形成された全体として球形の部分１０及びこれと相補形状をなしていて、取っ手部材７の内側に設けられたソケット又は着座部１１を有している。かかるボールソケット型継手により、ステム６を取っ手部材７に対しそれ自体の軸線Ｘ回りに回転させることができ、他方、取っ手部材７に対するヒンジのステム６の相当大きな軸方向及び（又は）横方向運動を阻止するようにするのがよいが、このようにするかどうかは任意である。
【００５７】
図１に示す例では、球形部分１０は、ソケット１１を構成する取っ手部材の壁１２に設けられた突起１９と対応関係をなして協働する後退部１６を有している。この突起１９は、軸線Ｙ上に位置している。
突起１９と後退部１６の嵌合は、取っ手部材７の軸線上にステム６を保持する一助となることができる。これは又、ユーザに、取っ手部材に対するステムの位置に関する情報を与える音又は手ごたえによる感覚を与えることができる。
ステムは一端に、例えばマスカラブラシによって構成されたアプリケータ要素２０を備えている。
アプリケータ要素は、アプリケータが定位置にあるとき、受け器の底部に接触するのがよいが、このようにするかどうかは任意である。
【００５８】
図２〜図５に示す例では、ソケット１１は、突起１９を備えておらず、頂端部が本体１４の内方に向いたリム１３に連結されたアプリケータ部材の壁１２によって構成されている。
ステム６は、ステムを取っ手部材７に対して差し向ける操作可能な部分１８を備えている。
ステム６の軸線Ｘと取っ手部材７の軸線Ｙとのなす角度ｉｉはユーザにより変更可能である。
アプリケータが、操作可能部分１８を有する場合、ステム６が取っ手部材７に対して向いている方向を変えることは、アプリケータが受け器上の定位置にあるとき受け器内に挿入されたステムの部分に触ることなく、かくして、ユーザが指を汚す恐れなく、行うことができる。
さらに、ステム６の操作可能部分１８により、ユーザは、メーキャップしながら取っ手に対するアプリケータ要素の方向の変化を目で見ることができる。
【００５９】
図１〜図５の例では、ブラシは、湾曲したコアを有し、ステムに隣接して位置するコア２１の近位部分２１ａは、実質的にステム６の軸線Ｘ上でステムに連結されており、コア２１の遠位部分２１ｂは、軸線Ｘと角度ｉをなす方向Ｚに向いている。
方向Ｚと取っ手部材７の軸線Ｙとのなす角度は、角度ｉと角度ｉｉの合計に一致するのがよく、かくして、例えば、図４に示すように、アプリケータステムが上方に向いた状態でメーキャップを睫毛に塗布することができる。この図では、アプリケータは、操作可能部分１８を有するものとして示されているが、かかる説明は、アプリケータがそれを備えていない場合であってもそのまま適用できる。
アプリケータステムが上方に向いた状態でメーキャップを施している間、ステムと取っ手部材のなす角度は、比較的大きいのがよく、それにより、取っ手部材を顔面から離して保持すると共にメーキャップを施すのを容易にすることができる。
アプリケータをそのステムが実質的に水平な状態で用いる場合、ステムは、図５に示すように取っ手部材の軸線に対し実質的に０の角度をなして向くのがよい。ブラシを例えばステムの軸線Ｘ回りに回すことができる。
アプリケータは、ステムが放された後でも、ステムが向けられた方向を例えば操作可能部分１８によって保つように構成されたものであるのがよい。
【００６０】
変形例として、ステムが操作可能部分１８を有する場合、アプリケータは、いったん操作可能部分１８を放すと、ステムを取っ手部材の軸線に対し所定の方向に戻すように構成されたものであるのがよい。
アプリケータが受け器上の定位置にあるとき、ステム（及び、必要に応じて、密封部材９）と受け器、例えば、ワイパ部材５との協働は、例えば仏国特許第１，３９５，２１７号明細書に記載されている器具で生じる作用効果とは対照的に、取っ手部材に対する操作可能部分１８の相当な程度の回動を防止するという効果を有することができる。
本発明の特徴のうちとりわけ１つにおいては、アプリケータは、湾曲したコアのブラシ、例えば、図１０〜図１３に示すブラシのうちの１つを有するのがよい。
【００６１】
図１０は、ブラシ２１０を示している。ブラシ２１０のコア２１は、２本の金属ワイヤを撚り合わせることにより作られる。
剛毛（図示せず）は、従来方式でコアのターン相互間に保持される。
図を分かり易くするために、図１０は、長い剛毛の自由端部によって構成された包絡面のみを示している。
コア２１は、軸線Ｘのステム６の一端部に固定されている。ステムは、例えばプラスチック材料で作られ、コア２１は、その端部のところに位置したソケット内に押し込まれる。
ブラシ２１０を作るため、出発形状は、図６に示すように全体として弾丸の形をした包絡面を備えるブランクである。この包絡面は、コア２１の直線状軸線Ｗの回りに円形状に対称であるが、ブランクの剛毛支持部分から半分のところでコア２１と交差する中間平面Ｍ回りに対称ではない。
ブラシの拡大部分は、最大直径の円２１４のところが最大直径になっている。
ブラシの遠位端部２１５は、弾丸の形をしており、ブラシの本体２１６は、切頭円錐の形をしており、本体２１６の直径は、端の円２１７のところの最小直径までステム６に向かってテーパしている。
【００６２】
図６に示すブランクの頂縁部は、円２１４と円２１７との間で本体２１６に沿って延びる直線状の第１の部分２１８ａ及び遠位端部２１５の頂部を構成する丸くなった第２の部分２１８ｂを有し、この丸形部分は、図示の例では楕円の１／４の形態をしている。
円２１４を包囲する部分２１８ａ，２１８ｂの領域は、非直線状縁部２１８ｃを構成する。
ブラシ２１０を作るため、コア２１を図６の平面に垂直な軸線回りに撚ってブランクの遠位端部２１５を真っ直ぐにし、それにより、縁部２１８ｃは平面状態になるようにし、この縁部は、図１０で理解できるように、実質的に直線状になって、部分２１８ａと一線をなす。
【００６３】
ブラシ２１０は、ステム６の軸線Ｘ回りに円形状に対称ではないことが観察されるべきである。縁部２１８ｃの傍に位置したブラシ２１０の剛毛の端部は、直径方向反対側の剛毛の端部よりもステム６の軸線Ｘから遠くに変位した状態にある。かくして、ブラシ２１０をワイパを通って受け器から引っ込めた後、多量のメーキャップが縁部２１８ｄにくっついた状態になり、この縁部２１８ｄは、実質的にステム６の軸線Ｘ上に位置し、これに対し、縁部２１８ｃは、より完全に拭い取られ、かくして、メーキャップを施すのを容易にすると共にユーザがブラシの拭い取りの少ない部分から局所的に必要に応じた量のメーキャップを施し、次に、支持したメーキャップの量が少ない剛毛を用いることにより睫毛を分けることができる。
コアの方向Ｚ′は、その長さに沿う全ての箇所でステムの軸線Ｘに対し角度αをなしており、この角度は、図３７に示すようにばらつきがあってもよいが、常に９０°未満である。
【００６４】
コアを、ステム６を越えて延びるその部分の長さ全体にわたって剛毛で覆われる必要はない。
かくして、図１０で理解できるように、コアは、剛毛が連結され、直線状部分２１１ｃによってステムから分離された曲線状の剛毛支持部分２１１ａを有するのがよく、直線状部分２１１ｃは、剛毛を支持しておらず、少なくとも一部はステム６内に植え込まれている。かくして、コアは、一定の曲率を備えていない。曲線状部分２１１ａは、一定又は一定ではない曲率のものであってよい。
【００６５】
図１１は、ブイ（ｂｕｏｙ）のような形をした図７のブランクから得られるブラシ２２０を示している。
このブランクは、コア２１の直線状軸線Ｗの回りに全体として円形状に対称であり、このブランクは、ベースとベースを互いに突き合わせる２つの切頭円錐を一体化することにより形成される包絡面を有し、それにより、直径の最も大きな円２１３を構成している。
図７のブランクの頂縁部は、切頭円錐の母線２２２ａ，２２２ｂを組み合わせることにより形成され、直径の最も大きな円２１３の付近の領域は、非直線状縁部２２２ｃを構成している。
【００６６】
図７のブランクの包絡面は、ブランクに沿って半分ほどのところでコア２１と交差する中間平面Ｍの回りに対称ではない。
ブラシ２２０を図７のブランクから作るため、コア２１は、部分２２０ａ，２２０ｂを実質的に互いに整列させるように湾曲され、それにより、これまた、直径方向反対側の底縁部の曲率を増大させる効果をもたらす。
例えば、コア２１の剛毛支持部分は、図７の平面に垂直であり、ブランクの頂縁部の傍に位置した軸線回りに一定の曲率半径で曲げられている。全体的に、コア２１は、一定ではない曲率を備え、ステムに挿入されているその部分は、直線状である。
【００６７】
図１１では、縁部２２２ｃは、実質的に直線状になることが分かる。
図１２は、図８のブランクから作られた魚の形をしているブラシ２３０を示している。
このブランクの包絡面は、コア２１の直線状軸線Ｗ回りに円形状に対称であるが、ブランクの剛毛支持部分に沿って半分ほど行ったところでコア２１と交差する中間平面Ｍ回りに対称ではない。
図８のブランクは、直径が最大の円２３１のところで最大になる本体２３２を有している。直径の最も大きな円２３１の前に延びる遠位端部２３３は、弾丸の形をしている。ブランクの近位端部２３４は、幅の狭い部分（以下、「細幅部分」という場合がある）２３６により本体２３２に連結されている。この細幅部分２３６のブランクの底縁部２３７は、下方に凹の部分を形成している。
ブラシ２３０を作るため、底縁部２３７を平らにし、これを図示の例の場合のように凹みを少なく又は直線状にするように曲率を図８のブランクのコア２１に与える。
細幅部分２３６と直径方向反対側の頂縁部２３８は、コア２１に及ぼした撚りのために一層湾曲した状態になっている。
【００６８】
図１２は、細幅部分２３６に隣接して位置する本体２３２の底縁部の部分２３２ａも又、コアに与えられた曲率のために真っ直ぐにされている状態を示している。
図１３は、図９に示すブランクから得られたブラシ２４０を示している。このブランクの包絡面は、全体として魚の形をしており、コア２１の直線状軸線Ｗ回りに円形状に対称である。ブランクの遠位部分２４１は、切頭円錐の形態をしている。直径の最も大きな円２４３に隣接した領域におけるブランクの本体２４２の形状は、切頭円錐形である。本体２４２は、細幅部分２４５を介してブランクの近位端部２４４に連結されている。細幅部分２４５の底縁部２４６は、下に凹である。
底縁部２４６を平らにして、たとえこれが直線状でなくて本体２４２の母線２４２ａと一線をなしていなくても、少なくとも実質的に当初よりは凹みの度合いが小さくなるようにするよう或る量の曲率をコア２１に与えることによりブラシ２４０に変換される。
コア２１に与えられた曲率は、底縁部２４６の直径方向反対側に位置した細幅部分２４５の頂縁部２４７の凹みを一層大きくする効果を有している。
【００６９】
図６〜図９に示すブランクの各々には、コアの湾曲に先立って、１以上の切子面又は凹みが設けるのがよい。
一例を挙げると、図１４は、少なくとも３つの実質的に平らな切子面２１９が設けられた図６のブランクを示しており、それにより、図１５に示すようにブランクの本体の断面に全体として三角形の形状が与えられている。
図１４の例では、切子面２１９は、実質的に平らであり、コアの軸線Ｗに平行である。
変形例として、これら切子面に代えて、図１６に示すように外に凹の断面を備える凹み２１９′又はブラシをステムの軸線に垂直な方向に観察したときに外に凹のプロフィールを持つ凹みを用いてもよく、凹みのプロフィールは場合によっては、例えば円弧を構成する。
【００７０】
図１７は、３つの実質的に平らな切子面２２９が設けられた図７のブランクを示しており、それにより、図１８に示すようにブランクの本体に全体として形状が三角形の断面が与えられている。
図１９は、３つの実質的に平らな切子面２３９が設けられた図８のブランクを示しており、それにより、図２０で分かるようにブランクの本体に全体として形状が三角形の断面が与えられている。
図２１及び図２２は、３つの実質的に平らな切子面２４９が設けられた図９のブランクを示している。
図１９の例の切子面２３９はブラシの本体にのみ延びているが、図２１の例では、切子面は、ブランクの近位端部を含むブランクの長さ全体にわたって延びている。
【００７１】
図２３〜図２６は、図６〜図９のブランクが図１０〜図１３のブラシに変換するのに行った変形手順と同一の変形手順を図１４、図１７、図１９及び図２１のブランクにそれぞれ施した後に得られたブラシを示している。
図２３〜図２６の例では、コアの曲率の平面は、真っ直ぐな状態になる非直線状縁部と直径方向反対側に位置した切子面２１９，２２９，２３９又は２４９に実質的に垂直であるのがよい。コア２１の曲率の平面は又、切子面についての対称中間平面であるのがよい。
上述の例の全てにおいて、コア２１は、単一の軸線回りにのみ湾曲している。
コアを任意的に平行であり、任意的に垂直であり、又は任意的に交差している２以上の軸線回りに湾曲させてもよく、これは本発明の範囲から逸脱しない。
一例を挙げると、図２７は、図２７の平面に平行な、即ち、図１３のブラシの曲率表面に平行な湾曲軸線Ｃ回りに次の撚りを掛けたコアを備える図１３のブラシを示している。
この追加の湾曲により、コア２１は、単一の曲率平面をもはや占めず、これにより、ブラシは使用に関し一層人間工学的な状態になる。
一例を挙げると、ブラシは、ステムに実質的に平行な少なくとも１つのアプリケータ表面を持つのがよい。
【００７２】
図２８及び図３０と関連して以下に説明するように左回りの撚りを持つブラシから始まると特に有利であることが観察されるべきである。
図２８は、左回りの撚りが掛けられたコアを備える図１１のブラシを示している。
破線は、剛毛の端によって構成されるシート又は面Ｎの辿る経路を示しており、これらシートは、コアに垂直な平面に対し角度ｖをなしている。
図２９を参照すると、シートＮは、ステム６の軸線Ｘに対し、ブラシの自由端部に近づくにつれて小さくなる角度をなし、かくして、瞼の端のところの睫毛ＨとシートＮとのなす比較的大きな角度βを保つことができ、かくして、睫毛を互いに十分に分離することができる。
当然のことながら、本発明は、左回りの撚りが掛かったコアには限定されず、図３０に一部が示されているように右回りの撚りが掛かったコアを用いてもよい。
【００７３】
図３１に示すように、本発明のブラシにギザギザ（セレーション）を設けることができる。この図では、ブラシは、その表面に後退部３１０を形成するよう機械加工されており、実質的に半径方向のブランクがブラシの長さの少なくとも一部を占めていることが理解できる。
図３２は、ブラシを側から見たときに、ブラシの直径の最も小さな部分に非直線状縁部３２１を与える全体として鼓形のブランク３２０を示しており、この縁部は、局部的な曲率をコアに与えることにより真っ直ぐにされることになる。
図３３は、全体としてラグビー又はアメリカンフットボールをするためのフットボールの形態をしていて、凹み３３１を含むブランク３３０を示している。
この凹状の部分である凹み３３１は、曲率をコアに与えることにより実質的に平らに作ることができる。
【００７４】
図３４及び図３５は、睫毛をメーキャップするのに用いられる図１１のブラシを示している。ブラシの一方の側部は、瞼の一端のところに位置した睫毛をメーキャップするのに用いることができ、ブラシの反対側の側部は、瞼の反対側の端に位置した睫毛をメーキャップするのに用いることができる。
上述したようなブラシのコア２１を、図３６に示すようにステム６に非常に近接して曲げてもし必要であるならばコアの取り扱い方法を変更することができる。
図３８及び図３９は、コアを湾曲させてステム内に埋め込む前の２つのブラシブランクを示している。これら例の各々のコア２１は、ステムに植え込まれる前は全体として直線状であることが分かる。コアを湾曲させた後のコアの形状は、破線で示されている。図３８の例では、ブランクは、コア２１の軸線Ｗの回りに２つの切頭円錐形の形態をした包絡面を備えている。剛毛を支持した部分２２１ａの全長は、例えば約２６ｍｍである。ブランクの最も大きな直径は、７ｍｍよりも僅かに大きく、その端の直径は、約４ｍｍであるのがよい。コア２１の全長は、３５ｍｍよりも僅かに大きいものであるのがよい。ステムの近くの部分２２１ｃを直線状に維持して部分２２１ａに約６０ｍｍの曲率半径を与えるようにしてコア２１を湾曲させるのがよい。コアの自由端部は、直線状部分２２１ｃの軸線から距離ｄだけずれているのがよく、この距離ｄは、約４．５ｍｍであるのがよい。
【００７５】
図３９は、コアを湾曲させる前は、全体として魚の形をしていて、実質的に切頭円錐形である前側部分３８０及び円形状に対称であって、曲率半径が約５２ｍｍの状態で外方に凹の２つの反対側に位置した円形縁部３８２，３８３により縦断面が構成された本体３８１を有するブランクの別の例を示している。。後端部平面３８５のところのブラシの直径は、約７．５ｍｍであり、前端部平面３８６のところのその直径は、約５ｍｍであるのがよい。
図３９に示すブランクは、剛毛を支持したコアの部分２１１ａを湾曲させて図示の例では、一定であって約５３ｍｍに等しい曲率半径を有するようにすることにより最初ブラシの状態に変換され、部分２１１ｃに隣接して位置する部分２２１ａの端部は場合によっては、図示のように部分２１１ｃの軸線と僅かな角度をなす。コアの自由端部のずれ距離ｄは、約２．４ｍｍであるのがよい。
【００７６】
図においては、コアの曲率は、理解し易いようにするために誇張して示されている。例えばそれほど目立たない曲率が瞼の曲率にマッチすることは本発明の範囲から逸脱しない。
コアは又、単一の曲率平面内でＳ字形に湾曲したものであってもよい。
上述のようなブラシは、ステムの軸線に対しずれた遠位端部で非一様な拭い取り作用を受けることができることは理解されよう。ブラシは、多数の効果を得るのに役立つ種々の形状の面を備えるのがよい。
図４０は、任意的な形状のものであって、２つの軸線Ｃ１，Ｃ２の回りに湾曲した特定の特徴を有するブラシ３４０を示している。
Ｃ１，Ｃ２は互いに平行ではなく、図示の例では、互いに垂直である。
当然のことながら、軸線Ｃ２は、軸線Ｃ１と交差し、又は交差しておらず、更に、軸線Ｃ２は、軸線Ｃ１に対し垂直であり、又は垂直でなくても本発明の範囲から逸脱しない。
【００７７】
かかるブラシは、ブラシの一部分に１回分のメーキャップを保持し、十分に拭い取られ、睫毛をくしけずってこれらを分けるのに良好であるブラシの別の部分を備えるという利点を有している。また、ブラシをステム６の軸線Ｘ回りに回すことによりメーキャップを睫毛に塗布する場合、剛毛は、その遠位端部に相当するブラシのオフセンタ領域において軸線Ｘに対し横方向に交互に並ぶようになり、これにより、剛毛が睫毛相互間に入りやすくなり、その管理を行いやすくすることができる。
【００７８】
図４２は、図４１のブランクから作られたブラシ３５０の別の例を示している。このブランクは、直線状のコア２１を備えた円筒形であり、このブランクは、ステム６の軸線と一致した軸線Ｗに沿って延びている。凹み３５１がこのブランクに形成されている。
ブラシ３５０を図４１のブランクから作るため、コア２１を図４１の平面に垂直な湾曲軸線回りに湾曲させ、この湾曲軸線は、凹み３５１から見て反対側の側部に位置し、それにより、この凹みを平らにしてこれを実質的に平面状の切子面の状態に変換するという効果を有している。かかる切子面を形成して凹み３５１に換えるようにすることにより、外方に凹の包絡面３５２が凹み３５１から見て反対側の側部に形成される。
図４３を参照すると、ブラシは、最初の凹み３５１が形成されるコアの部分に、コアの曲率平面Ｖに垂直であって、軸線Ｗを含む平面Ｋ回りに対称ではない断面を備えていることが理解できる。
また、複数の凹みを有するブランクから開始してもよい。
多くのブラシの例が与えられているが、本発明は、角質繊維以外の部分に化粧品を塗布するよう構成されたアプリケータ要素を備えるアプリケータにも適用される。
かくして、例えば図４４に示すように瞼のメーキャップを目的としてフロック加工されたエンドピース３０、図４５に示すように唇をメーキャップするためのフロック加工されたエンドピース４０又は図４６に示すようにマニキュア液を塗布するための塗料ばけ５０を有するアプリケータ要素を用いることが可能である。この図では、アプリケータのステムは、曲げられており、ステムとブラシ５０は全体として単一の直線上に位置していないことが観察されよう。
一部だけが図４７に示されているアプリケータも又、曲げられたステムを有している。かくして、アプリケータ要素５１の軸線は、ステムの一部と０ではない角度をなしている。一例を挙げると、アプリケータ要素５１は、フォームから成るのがよい。
【００７９】
図４８は、アプリケータステムに対して０ではない角度をなすアプリケータ要素５２の軸線を示している。一例を挙げると、アプリケータ要素５２は、フェルト先端部で構成されている。
アプリケータ要素は、図４８Ａで理解できるように断面で見てギザギザを更に有するのがよく、これは、プラスチック材料を射出成形することにより作ることができる。
また、図４９に示すように櫛６０を用いてもよい。櫛の他の非限定的な例は、特に、欧州特許出願公開第１，１６９，９４１号明細書、欧州特許出願公開第１，０７０，４６５号明細書、欧州特許出願公開第１，０７０，４６８号明細書及び欧州特許出願公開第１，０７０，４６７号明細書に記載されている。
図２〜図５の例では、ステム６の操作可能部分１８は、例えばプラスチック材料の射出成形によりステムの残部と一体に作られている。
操作可能部分１８をステム６の残部に取り付けられた部品によって構成することは本発明の範囲から逸脱せず、例えば、操作可能部分の一端部が図５０に示されているように球形部分１０に設けられたソケット６１に挿入される。
ステム６と取っ手部材７を互いに連結するヒンジは、図５１に示すように取っ手部材７の残部に取り付けられた部品によって形成できる。この図は、ソケット１１が例えばスナップ留めにより取っ手部材の残部６４に固定された部品６３に形成されていることを示している。
【００８０】
また、図５１は、操作可能部分１８を突出させる取っ手部材７の開口部が、外方に末広がりになった縁部６５によって構成できることを示している。
ボールソケット型継手のソケット１１を構成する壁１２は、例えば、図５２に示すように少なくとも一部が取っ手部材７の外部に延びるのがよい。
操作可能部分１８は、少なくとも一部が僅かな隙間を持ってソケット１１の壁１２の上に位置するカバー６６を備えるのがよく、このカバー６６は、場合によっては、図５２に示すように壁１２の方に向いた凹状面６７を備える。
取っ手部材７は、図５３に示すように軸方向一端部のところに端壁６９を有するのがよく、この端壁は、操作可能部分１８を通すことができる１以上のスロットが穿孔形成されている。
【００８１】
図５４の例では、端壁６９には、それぞれ互いに垂直な軸線Ｆ１，Ｆ２を備えていて、幅が操作可能部分１８の直径に実質的に一致した２つのスロット７０，７１が穿孔形成されており、この操作可能部分は、ステム６を取っ手部材７に対して傾斜させると、スロット内で動くことができる。
スロット７０，７１が設けられていることは、軸線Ｆ１，Ｆ２の方向への取っ手部材７に対するステム６に許容された運動を制限するのに役立つ。
図示の例では、端壁６９は形状が全体として外方に凸である。図５５に示すように、上述のスロットのうち少なくとも一方、及び例えばスロット７０，７１の両方は、少なくとも１つの突起７３、例えば、２つの向かい合った突起７３を有するのがよく、それにより、操作可能部分１８を押すことができるハードポイントが作られ、かくして、操作可能部分１８を所定の位置、例えば、スロットのうちの一方の軸方向端部に当接した状態に保持する一助となる。
【００８２】
図５５の例では、ユーザはこのような訳で、操作可能部分１８を、５つの所定の位置、即ち、ステム６が軸線Ｙに対し実質的に０の角度で傾斜した状態で部分１８がスロット７０，７１の交差部のところに位置する中央位置及び操作可能部分１８がスロットの軸方向端部のうちの一方に当接する４つの端っこの位置のうち１つに持って来ることができる。中央位置から端の位置のうちのいずれか１に行くためには、突起７３が設けられていることと関連したハードポイントを越える必要がある。
例えば、ステム６が単一の幾何学的軸線の回りにのみ回動できることが望ましい場合、取っ手部材７は、図５６に示すようにスロット７０を１つしか必要としない。
【００８３】
ステムが一平面内でのみ回動する場合、アプリケータ要素は、この平面内に延びる湾曲した長手方向軸線を備えるのがよい。
取っ手部材は、ユーザが取っ手部材に対する操作可能部分１８の位置を確認できるようにする少なくとも１つの基準マーク７７を有するのがよい。一例として、取っ手部材は、複数の目盛りを備えるのがよい。
操作可能部分１８を種々の方法で作ることができるシースで覆うのがよい。一例を挙げると、シースは、受け器を漏れ止め状態にする一助となることができる。
【００８４】
図５７は、エラストマーを取っ手部材７の本体の部分８１に一体成形することによって作られたシース８０を示している。
シースは、例えば図５８に示すようなひだ部８２を備えるのがよく、ひだ部８２は、シースにあらゆる方向に可撓性を与えてステム６を操作できるようにするベローのように働く。
図５７及び図５８の例では、シースは、外形が取っ手部材７の軸線Ｙ回りに全体として円形状に対称であるのがよいが、シースは、恐らくは操作可能部分の変位のために１以上の特定の方向を定めることを目的として円形状に対称ではないことは本発明の範囲から逸脱しない。
例示として、図５９は、実質的に平らであって、ユーザが取っ手部材７に対するステム６の傾斜角を変えるために押すことができる２つの互いに反対側の表面を備えたシース９０を示している。
これら表面９１のうち一方は場合によっては、ユーザをこれを押すよう呼びかけるメッセージ９２を有してもよい。
【００８５】
図５９に示すように、シースには、ステム６の角変位を単一の軸線回りのみの変位に制限するのに役立つ形状が与えられるのがよい。
図５９の例では、表面９１に実質的に垂直な方向Ｄにおけるシース９０の可撓性は、ステムを表面９１に実質的に平行な軸線Ｌ回りに回動させ易くし、軸線Ｌの方向におけるシース９０の大きな剛性は、ステムが軸線Ｌに垂直な軸線回りに回動するのを阻止する傾向がある。
ソケットボール型継手のソケットを、例えば、高いレベルの摩擦を生じさせることによりステムの運動を減速するためにシースと同一材料を射出成形することにより一体に作られた壁により形成するのがよい。
【００８６】
例えば、図６０は、取っ手部材のリム９５にスナップ留めされたベース部分９４を有するシース１００を示している。ベース部分９４は、ステム６の球形部分１０を受け入れるソケット１１を構成している。
操作可能部分１８と嵌合状態にあるシースは、取っ手部材に対して固定された部分を備えていなくてもよいが、このようにするかどうかは任意である。
操作可能部分１８は、シース内で自由であるのがよく、それにより、相対変位、特に、軸方向変位がステムの傾斜角を変更したとき、操作可能部分１８とシースとの間で生じることができるようにするのがよい。
操作可能部分１８は、例えば、ステムを軸線Ｘが軸線Ｙと実質的に一致する休息位置に戻す傾向のある応力を生じさせるため、シースに対して自由である必要はない。
【００８７】
必要に応じて、シースは、ステムを休息時に傾斜角が０の位置に戻すための弾性戻し部材を構成するのがよい。
シースは又、取っ手部材の本体に固定された気泡材料のブロックから成っていてもよい。
一例を挙げると、図６１は、一方の面１０３を介してヒートシール又は接着剤により取っ手部材の端壁１０４に固定された弾性変形可能なフォームのブロック１０２によって構成されたシースを示している。
ブロック１０２は、面１０３内へ開口した凹部１０５を有し、操作可能部分１８はこの凹部１０５内に収納される。
【００８８】
変形例として、凹部１０５に代えて、図６２に示すように１以上のスロット１０６、例えば、十字の形態をした２つのスロットを用いてもよい。
シースは又、取っ手部材と同一材料で作られたものであってもよく、例えば、図６３に示すようにフィルムヒンジを介して取っ手部材に連結される。
この図は、取っ手部材７と共に射出成形することにより一体に作られ、フィルムヒンジ１０７を介して取っ手部材に連結されたシース１０８を示している。
フィルムヒンジ１０７は、中央部分が途切れていて、操作可能部分を通過させることができるようになっている。
ボールソケット型継手以外の手段を用いてステムと取っ手部材との間にヒンジを設けてもよい。
【００８９】
一例を挙げると、図６４及び図６５は、軸線Ｔに沿って延びていて、ステム６と嵌合するピン１１０（例えば、金属ピン）を有するヒンジを示しており、ステムは、例えば、軸線Ｔに実質的に垂直な平らな面を備えた拡大部分１１１を有しており、ピン１１０を受け入れる開口部１１２がこの拡大部分を貫通して設けられている。ピンを取っ手部材の直径方向互いに反対側に位置したスタッド１１３内に保持するのがよい。取っ手部材は、その本体１１５に固定されていて、ピン１１０がスタッド１１３から抜け出るのを防止するのに役立つ例えば金属製の外部覆い１１４を有するのがよい。
図６６に示すように、球形部分に代えて円筒形部分１１６を用いることによりステムのヒンジを作ってもよい。その目的は、例えば、ステムがステムの軸線Ｘに垂直に延びるこの円筒形部分の軸線Ｕの回りにのみ回動することができるようにすることにある。この円筒形部分１１６は、その軸方向端部がソケット１１７に受け入れられるのがよく、これらソケットは、取っ手部材の端部１５に向かって開口していて、円筒形部分１１６を操作可能部分が取っ手部材の対応関係にある開口部に挿入されると同時にスナップ留めによりソケット１１０内に位置決めできるようにする。
【００９０】
また、変形可能な材料の壁又はブロックを用いることによりヒンジを作ってもよい。
一例を挙げると、図６７は、例えばヒートシール又は接着剤により取っ手部材の本体の内部に固定された気泡材料、例えば、弾性変形可能なフォームのブロックから成るヒンジを示している。ステム６は、ブロック１２０に設けられた開口部１２１、例えばスロットを貫通して延び、このステムは、ブロック１２０の各側部に設けられた浮き出し部１２３，１２４を有するのがよく、これら浮き出し部は、ステム６がこれが向いている方向を変えるためにユーザによって操作されている間、ブロック１２０をこれら浮き出し部相互間に保持するのに十分大きい。
例えばエラストマーで作られた単純なディスク１３０も又、図６８に示すように用いることができ、このディスクは、例えば操作可能部分１８を突出させている開口部を包囲する取っ手部材のリム１３１にヒートシールされる。
【００９１】
ソケット１１と嵌合した球形部分１０は、図６９に示すように浮き出し分１３５、例えば、ギザギザを有するのがよく、これら浮き出し部１３５は、ソケットの壁１２に形成された相補形状の浮き出し部１３６と協働してステムの動きを制動すると共に（或いは）ステムを１以上の所定の角度位置に保持するのを容易にするようになっている。変形例として、浮き出し部１３５又は１３６に代えて、ステムと取っ手部材との間に追加の摩擦を生じさせるエラストマー材料の少なくとも１本のコードを用いてもよい。
当然のことながら、本発明は、上述の実施形態には限定されない。種々の実施形態の特徴を、例えば、本発明に従って他の実施形態を構成するため互いに組み合わせることができる。
【００９２】
本明細書全体を通じ、部材個数に関し、「〜を有する又は含む（ｃｏｍｐｒｉｓｅｓ  ａ）」という用語は、特段の指定がなければ、「〜を少なくとも一つ有する又は含む（ｃｏｍｐｒｉｓｅｓ  ａｔ  ｌｅａｓｔ  ｏｆ  ）」という表現と同義であると解されるべきである。
本発明に従って構成されたアプリケータを、アプリケータが使用されていないときに挿入される受け器と関連して用いる必要はない。アプリケータ要素に例えばメーキャップのケークに接触させることにより塗布のためにメーキャップを装填することができる。
【図面の簡単な説明】
【図１】本発明に従ってメーキャップを睫毛又は眉毛に塗布する器具の軸方向断面図である。
【図２】アプリケータが操作部分を備えた変形実施形態を示す図である。
【図３】ステムを取っ手に対して回動させた後の図２の器具のアプリケータを単独で示す図である。
【図４】睫毛をメーキャップするのに用いられている図３のアプリケータを示す図であり、ステムが実質的に垂直に向いている状態を示す図である。
【図５】睫毛をメーキャップするのに用いられている図３のアプリケータを示す図であり、ステムが実質的に水平に向いている状態を示す図である。
【図６】ブランクの一例を示す図であり、かかるブランクからブラシが本発明の一特徴に従って形成できることを示す図である。
【図７】ブランクの別の例を示す図であり、かかるブランクからブラシが本発明の一特徴に従って形成できることを示す図である。
【図８】ブランクの別の例を示す図であり、かかるブランクからブラシが本発明の一特徴に従って形成できることを示す図である。
【図９】ブランクの別の例を示す図であり、かかるブランクからブラシが本発明の一特徴に従って形成できることを示す図である。
【図１０】図６に示すブランクから得られたブラシを示す図である。
【図１１】図７に示すブランクから得られたブラシを示す図である。
【図１２】図８に示すブランクから得られたブラシを示す図である。
【図１３】図９に示すブランクから得られたブラシを示す図である。
【図１４】切子面が形成された図６のブランクを示す図である。
【図１５】図１４のＸＶ−ＸＶ矢視断面図である。
【図１６】凹みを備えた変形実施形態を示す図１５と類似した断面図である。
【図１７】切子面が設けられた図７のブランクを示す図である。
【図１８】図１７のＸＶＩＩＩ−ＸＶＩＩＩ矢視断面図である。
【図１９】切子面が設けられた図８のブランクを示す図である。
【図２０】図１９のＸＸ−ＸＸ線矢視断面図である。
【図２１】切子面が設けられた図９のブランクを示す図である。
【図２２】図２１のＸＸＩＩ−ＸＸＩＩ線矢視断面図である。
【図２３】コアを湾曲させた後の図１４のブランクを示す図である。
【図２４】コアを湾曲させた後の図１７のブランクを示す図である。
【図２５】コアを湾曲させた後の図１９のブランクを示す図である。
【図２６】コアを湾曲させた後の図２１のブランクを示す図である。
【図２７】コアを次に撚り操作を施した後の図１３のブラシを示す図である。
【図２８】メーキャップを睫毛に塗布しながらコアに左回りに撚りを掛けた状態の図１０のブラシの略図である。
【図２９】螺旋シートと眉毛とコアの軸線との間の種々の角度を示す図である。
【図３０】図２８と類似した図であり、コアの一部を単独で示し、コアは、右回りに撚りが掛けられた状態を示す図である。
【図３１】ギザギザを備えた断面を示す図である。
【図３２】コアを湾曲させる前の全体として鼓形のブラシの略図である。
【図３３】コアを湾曲させる前の凹みを備えた全体として（ラグビー又はアメリカン）フットボールの形をしたブラシの略図である。
【図３４】睫毛をメーキャップするのに用いられている図１１のブラシを示す図である。
【図３５】睫毛をメーキャップするのに用いられている図１１のブラシを示す図である。
【図３６】ステムに近いところでコアに形成されている曲り部を示す図である。
【図３７】コアの方向とステムの軸線とのなす角度を示すためにコアの一部を示す図である。
【図３８】コアに与えられた曲率が破線で引かれて示されているブランクの一例を示す図である。
【図３９】コアに与えられた曲率が破線で引かれて示されているブランクの別の例を示す図である。
【図４０】コアを少なくとも２つの軸線回りに湾曲させた状態のブラシの例を示す略図である。
【図４１】本発明の別の特徴に従ってブラシを作るためのブランクを示す図である。
【図４２】コアを湾曲させた後の図４１のブランクを示す図である。
【図４３】図４２のＸＬＩＩＩ線矢視断面図である。
【図４４】他のアプリケータの一例を示す図である。
【図４５】他のアプリケータの別の例を示す図である。
【図４６】他のアプリケータの別の例を示す図である。
【図４７】湾曲したステムをどのように用いるのがよいかを示す図である。
【図４８】湾曲したステムをどのように用いるのがよいかを示す図である。
【図４８Ａ】ギザギザを含むアプリケータ要素の断面図である。
【図４９】本発明に従って構成されたアプリケータのステムの端部のところに設けられるのに適した櫛を単独で示す図である。
【図５０】とりわけヒンジをどのようにすれば作ることができるかの一例を示す図である。
【図５１】とりわけヒンジをどのようにすれば作ることができるかの別の例を示す図である。
【図５２】とりわけヒンジをどのようにすれば作ることができるかの別の例を示す図である。
【図５３】本発明の変形実施形態としてのアプリケータの部分側面図である。
【図５４】図５３のＬＩＶ線矢視正面図である。
【図５５】一実施形態を示す図５４と類似した図である。
【図５６】別の実施形態を示す図５４と類似した図である。
【図５７】アプリケータの他の例の部分図である。
【図５８】アプリケータの他の例の部分図である。
【図５９】アプリケータの他の例の部分図である。
【図６０】アプリケータの他の例の部分図である。
【図６１】アプリケータの他の例の部分図である。
【図６２】アプリケータの他の例の部分図である。
【図６３】アプリケータの他の例の部分図である。
【図６４】アプリケータの他の例の部分図である。
【図６５】図６４のＬＸＶ線矢視断面図である。
【図６６】ヒンジの他の例を示す図である。
【図６７】ヒンジの他の例を示す図である。
【図６８】ヒンジの他の例を示す図である。
【図６９】ギザギザを備えたヒンジを示す図である。
【符号の説明】
１  包装兼塗布器具
２  アプリケータ
３  受け器
４  ネック
５  ワイパ
６  ステム
７  取っ手部材
９  密封部材
１０  球形部分
１１  ソケット又は着座部
１４  管状本体
１５  開口部
１６  後退部
１９  突起
２０  ブラシ
Ｐ  メーキャップ
【図１】
2004154551.tif 000003
【図２】
2004154551.tif 000004
【図３】
2004154551.tif 000005
【図４】
2004154551.tif 000006
【図５】
2004154551.tif 000007
【図６】
2004154551.tif 000008
【図７】
2004154551.tif 000009
【図８】
2004154551.tif 000010
【図９】
2004154551.tif 000011
【図１０】
2004154551.tif 000012
【図１１】
2004154551.tif 000013
【図１２】
2004154551.tif 000014
【図１３】
2004154551.tif 000015
【図１４】
2004154551.tif 000016
【図１５】
2004154551.tif 000017
【図１６】
2004154551.tif 000018
【図１７】
2004154551.tif 000019
【図１８】
2004154551.tif 000020
【図１９】
2004154551.tif 000021
【図２０】
2004154551.tif 000022
【図２１】
2004154551.tif 000023
【図２２】
2004154551.tif 000024
【図２３】
2004154551.tif 000025
【図２４】
2004154551.tif 000026
【図２５】
2004154551.tif 000027
【図２６】
2004154551.tif 000028
【図２７】
2004154551.tif 000029
【図２８】
2004154551.tif 000030
【図２９】
2004154551.tif 000031
【図３０】
2004154551.tif 000032
【図３１】
2004154551.tif 000033
【図３２】
2004154551.tif 000034
【図３３】
2004154551.tif 000035
【図３４】
2004154551.tif 000036
【図３５】
2004154551.tif 000037
【図３６】
2004154551.tif 000038
【図３７】
2004154551.tif 000039
【図３８】
2004154551.tif 000040
【図３９】
2004154551.tif 000041
【図４０】
2004154551.tif 000042
【図４１】
2004154551.tif 000043
【図４２】
2004154551.tif 000044
【図４３】
2004154551.tif 000045
【図４４】
2004154551.tif 000046
【図４５】
2004154551.tif 000047
【図４６】
2004154551.tif 000048
【図４７】
2004154551.tif 000049
【図４８】
2004154551.tif 000050
【図４８Ａ】
2004154551.tif 000051
【図４９】
2004154551.tif 000052
【図５０】
2004154551.tif 000053
【図５１】
2004154551.tif 000054
【図５２】
2004154551.tif 000055
【図５３】
2004154551.tif 000056
【図５４】
2004154551.tif 000057
【図５５】
2004154551.tif 000058
【図５６】
2004154551.tif 000059
【図５７】
2004154551.tif 000060
【図５８】
2004154551.tif 000061
【図５９】
2004154551.tif 000062
【図６０】
2004154551.tif 000063
【図６１】
2004154551.tif 000064
【図６２】
2004154551.tif 000065
【図６３】
2004154551.tif 000066
【図６４】
2004154551.tif 000067
【図６５】
2004154551.tif 000068
【図６６】
2004154551.tif 000069
【図６７】
2004154551.tif 000070
【図６８】
2004154551.tif 000071
【図６９】
2004154551.tif 000072
【外国語明細書】
2004154551.tif 000073
2004154551.tif 000074
2004154551.tif 000075
2004154551.tif 000076
2004154551.tif 000077
2004154551.tif 000078
2004154551.tif 000079
2004154551.tif 000080
2004154551.tif 000081
2004154551.tif 000082
2004154551.tif 000083
2004154551.tif 000084
2004154551.tif 000085
2004154551.tif 000086
2004154551.tif 000087
2004154551.tif 000088
2004154551.tif 000089
2004154551.tif 000090
2004154551.tif 000091
2004154551.tif 000092
2004154551.tif 000093
2004154551.tif 000094
2004154551.tif 000095
2004154551.tif 000096
2004154551.tif 000097
2004154551.tif 000098
2004154551.tif 000099
2004154551.tif 000100
2004154551.tif 000101
2004154551.tif 000102
2004154551.tif 000103
2004154551.tif 000104
2004154551.tif 000105
2004154551.tif 000106
2004154551.tif 000107
2004154551.tif 000108
2004154551.tif 000109
2004154551.tif 000110
2004154551.tif 000111
2004154551.tif 000112
2004154551.tif 000113
2004154551.tif 000114
2004154551.tif 000115
2004154551.tif 000116
2004154551.tif 000117
2004154551.tif 000118
2004154551.tif 000119
2004154551.tif 000120
2004154551.tif 000121
2004154551.tif 000122
2004154551.tif 000123
2004154551.tif 000124
2004154551.tif 000125
2004154551.tif 000126
2004154551.tif 000127
2004154551.tif 000128
2004154551.tif 000129
2004154551.tif 000130
2004154551.tif 000131
2004154551.tif 000132
2004154551.tif 000133
2004154551.tif 000134
2004154551.tif 000135
2004154551.tif 000136
2004154551.tif 000137